(57)【特許請求の範囲】
【請求項１】
底板により連結された並列的な面板の間に巻テープを巻き戻し可能に収納し、上記底板の端部に上記巻テープを切断する切刃を設け、上記底板の端部から引き出す上記巻テープを該端部近傍に沿わせるように、該端部よりやや内側に入った位置において、上端が上記面板に連結され、下端側が面板側から切離されて上記巻戻された巻テープの上面に位置するように、内側に傾斜状に突出する押え片を形成した容器入巻テープ。
【請求項２】
上記押え片は、面板側に折り重ねられた補強片に形成されている請求項１記載の容器入巻テープ。
【請求項３】
上記押え片は、上記補強片に上端部を折線として連結状態に残し下端側をほぼコ字状の切線によって形成されている請求項２記載の容器入巻テープ。
【発明の詳細な説明】
【０００１】
【発明の属する技術分野】
本発明は容器に納めた粘着テ−プ等の巻テ−プ、また更にカッタ−付の容器に納めた巻テ−プに関する。
【０００２】
【従来の技術】
剥離紙を介在させ、その剥離紙が上面になるようにして巻芯に巻回した両面粘着テ−プは、その粘着面の一面に剥離紙が仮着されている状態で、両面粘着テ−プと剥離紙を一緒に巻戻し、所要の長さにカッタ−やハサミなどで切断し、必要個所に貼付けてから剥離紙を剥し、露出された他方の粘着面に他のものを貼付して使用している。
【０００３】
しかしながら剥離紙は両面粘着テ−プから剥れ易いために、巻戻すときに上面に巻回されている剥離紙だけを巻戻してしまい、剥離紙が仮着された状態で両面粘着テ−プを巻戻せないことがしばしば見られる。
特に両面粘着テ−プにおいて、一面と他面の粘着剤の粘着力に強弱がある場合にはこうした現象が更に起こり易く、巻戻しに際して一層の注意が必要であり、更に使い勝手の良いものが望まれていた。
【０００４】
【発明が解決しようとする課題】
そこで、本発明は、両面粘着テ−プを剥離紙と同時に確実に巻戻すことができ、また、他の巻テ−プ類も確実に巻戻すことができるようにするものである。
【０００５】
【課題を解決するための手段】
本発明は、底板、側板などによって連結された並列的な面板の間に巻テ−プを巻戻し可能に収納し、この底板または側板の端部から巻戻した巻テープを外方へ引き出すようにし、上記端部よりやゝ内側に入った位置に上記面板側から突出し、巻戻した巻テ−プの上に位置する押え片によって、巻戻した巻テ−プの端部が巻テープの上面に巻きつかないようにさせ、何時でも確実な巻戻しができるようにするものである。また、上記底板または側板の端部位置には切刃を設けるようにして切断を容易にする。
【０００６】
【発明の実施の態様】
紙、プラスチックその他の材料で形成した巻芯１に、剥離紙２に仮着した両面粘着テ−プ３を、該剥離紙２が表側（上面）になるようにして巻回している。
この巻テ−プ４は、カッタ−付の容器５内に収納される。この容器は、上記巻テ−プ４に応当してこれを収容する空間を形成するよう底板６の両側にそれぞれ折線７，７を存して面板８，８が連設されている。前記の各面板の上縁部は収容される巻テ−プ４の外周部の形状にほぼ該当する弧状縁９に形成し、該面板の略中央部には前記弧状縁９に対応して前記巻テ−プの巻芯の中空部の内壁１０に沿う弧状の切線１２によって前記弧状縁９との間に弧状部１３を形成すると共に、前記略中央部には切線１２の両端部を結び前記折線７，７にそれぞれほぼ平行で不連続な切線１５を有する折線１４，１４によって巻芯の中空部内に折り込んで重なる折込片１６，１６が形成されている。
【０００７】
この折込片１６の折線１４は該折込片を巻芯の中空部内に折り込んで重ねられればよく、巻芯の中心線の位置に設けたり、あるいはその上方側若しくは下方側に設けることができる。この折込片を図示するように巻芯の中心線の位置より上方に設けると、折込片の下方部が比較的広くなり、図柄、仕様、商標その他の所要事項の記載が容易にできる。
上記弧状部１３の中央部分には切線１２に連らなる切欠部１７が形成してあり、これによって容器を安定に吊下げることができるので、展示したり、保管したり、使用する場合に一層便利である。
【０００８】
上記各面板８，８及び底板６の一方の側縁には、折線２０を存して該面板及び底板に跨がり、内側（容器の内面）へ折り重ねる補強片２１，２２，２１を折線２３，２３を介して設けており、この折線２３，２３は前記底板６と面板８の間の折線７，７のほぼ延長上に位置している。  上記補強片２１には、上端部を折線２４として連結状態に残してほぼコ字状の切線２５によって形成した押え片２６を形成している。
この補強片２２と底板６との連結部には切欠部２７を設け、ここに刃先２８を望ませて切刃２９を補強片の底板に折重なる面に固定している。この補強片を底板上へ折り重ねると、その刃先２８が底板６の端部から突出するが、面板８，８の前端部からは突出しない状態になっている。
該面板の他方の側縁には、折線３１，３１を存して側板３２，３２を設け、底板の他方の側縁には折線３３を存して舌片３４を設けている。
【０００９】
この容器は次のようにして組立てられる。先づ、上記補強片２１，２２を接着剤を存し若しくは存せず折線２０によって面板８及び底板６の内面へ折り重ね、上記底板６の上に巻テ−プ４をおき、面板８，８をそれぞれの折線７，７により巻テ−プの側面に折り立て、一方の面板にある折込片１６を折線１４で巻芯１の中空部内へ折り込み、その上面へ他方の面板の折込片１６を折目１４で折り込み、舌片３４及び側板３２，３２も各々折線３３及び３１，３１で同様に内側へ折り重ねて、容器内に巻テ−プを収納、包装する。この場合、上記折込片１６や側板３２や舌片３４が重なった状態は接着剤で固定してもよいし、適宜差し込み形式にすることもできる。
【００１０】
上記面板８側に折重ねられた補強片２１に設けた押え片２６は、その上端部の折線２４で連結された状態にされ、その下端側が内側に傾斜した状態にくせ付けされ、両方の面板側から各々内側に向って突出している。
【００１１】
これを使用する場合、両面粘着テ−プ３と剥離紙２を一緒にして巻戻し、これを底板６側へ押し付けるようにすると、テ−プは押え片２６を変形させながら通過し、通過後に押え片２６は元の位置に戻り、切刃２９の上に剥離紙２が下方になり、両面粘着テ−プ３が上方になって位置する。
そして、上記押え片２６は、両面板から内側に突出して両面粘着テ−プ３の上に位置するようになるので、両面粘着テ−プと剥離紙は共にこの押え片によって、巻テ−プ側に巻戻ることが防止され、再び巻テ−プに貼付くようなこともない。
【００１２】
上記押え片より外側の刃先側に位置するテ−プを持ち、巻戻しながら引出し、切刃で切断して使用する。切断した後も、巻テ−プの切断端は、上記押え片の作用で両面粘着テ−プと剥離紙が揃った状態で切刃部の上に位置して巻戻ることがなく、何時でも確実に巻戻し、使用することができる。
この押え片は、両面板側から突出するように形成されているが、いずれか一方の面板側から突出するように形成することができるし、この押え片の形状も長片状に限らず適当な形状にすればよいし、面板側に他の部片を貼付けて形成することもできる。
【００１３】
図４、図５に示すものは、補強片２２に取付けた切刃２９に、その両側部から外方へ突出する押え片３６，３６を形成し、この押え片３６を面板側から内側に折曲げるようにして、巻戻した巻きテ−プの上方に位置させるようにすれば、巻テ−プの巻き戻りを同様に防止することができる。また、この押え片も切刃の一方側にだけ設けてもよい。
【００１４】
図６に示すものでは、両面板８，８をつなぐように折り畳んで重ねられた側板４０の上端部から切刃４２の刃先４１が突出するようにした容器４３があり、上記図４とほぼ同様にして切刃４１に一側部から突出して折り曲げられた押え片４４を設けたものである。
【００１５】
上記したものでは、いずれも巻テ−プを収納した容器のテ−プを引出す部分の底板または側板の端部に切刃を設けているが、上記したところから判るように押え片を別体に形成すれば、切刃は場合に応じて省略することができ、巻戻したテ−プは適宜ハサミ、ナイフ等でカットして使用するようにしてもよい。
また、上記では両面粘着テ−プの場合について述べてきたが、通常の片面粘着テ−プ、粘着剤の無いテ−プ、その他各種の巻テ−プに広く同様に用いることができる。
【００１６】
【発明の効果】
本発明は上記したように、切刃を有し又は有しない底板や側板の端部からやゝ内側に入った位置に、巻テ−プを挾むように並列状にされている面板側より巻戻されたテ−プの上に突出している押え片を設けることによって、巻テ−プの端部が巻回状態に戻ることなく常時切刃の部分に位置させることができるようにしているので、何時でも確実にテ−プを巻戻し、引出して使用することができる。
【図面の簡単な説明】
【図１】本発明の実施例を示す斜視図である。
【図２】図１の正面図である。
【図３】図１の容器の展開図である。
【図４】他の実施例の説明図である。
【図５】図４の容器の一部展開図である。
【図６】更に他の実施例の斜視図である。
【符号の説明】
１  巻芯
２  剥離紙
３  両面粘着テープ
４  巻テープ
５，４３  容器
６  底板
８  面板
１６  折込片
２１，２２  補強片
２４  押え片の上端部の折線
２６，３６，４４  押え片
２８，４１  切刃の刃先
２９，４２  切刃
３２  側板
【図１】
0003629667.tif 000002
【図２】
0003629667.tif 000003
【図３】
0003629667.tif 000004
【図４】
0003629667.tif 000005
【図５】
0003629667.tif 000006
【図６】
0003629667.tif 000007